(57)【特許請求の範囲】
【請求項１】
体内挿入管部の基端に操作部が連結された構成の内視鏡を滅菌装置に格納する際に載置するための内視鏡滅菌用トレイにおいて、
上記体内挿入管部が緩く嵌め込まれる体内挿入管部案内溝と上記操作部が緩く嵌め込まれる操作部嵌め込み溝とが各々表面部分から窪んだ状態に形成されていて、上記体内挿入管部案内溝内に嵌め込まれた上記体内挿入管部を載せるための線状又は点状の突起が上記体内挿入管部案内溝の底面に上方に向けて突出形成されていることを特徴とする内視鏡滅菌用トレイ。
【請求項２】
上記線状の突起が、上記体内挿入管部案内溝の長手方向に沿って上記体内挿入管部案内溝の底面の中央位置付近に形成されている請求項１記載の内視鏡滅菌用トレイ。
【請求項３】
上記線状の突起が長手方向に間隔をあけて複数形成されている請求項１又は２記載の内視鏡滅菌用トレイ。
【請求項４】
上記体内挿入管部案内溝の底面に形成された上記複数の線状の突起と突起との間に、上記挿入管案内溝の底面の裏側に貫通する水抜き孔が形成されている請求項３記載の内視鏡滅菌用トレイ。
【請求項５】
上記操作部嵌め込み溝の底面にも、上記操作部嵌め込み溝に嵌め込まれた上記操作部を載せる線状又は点状の突起が上方に向けて突出形成されている請求項１、２、３又は４記載の内視鏡滅菌用トレイ。
【請求項６】
上記体内挿入管部案内溝の側面にも、上記体内挿入管部案内溝の内方に向いて線状又は点状の突起が突出形成されている請求項１、２、３、４又は５記載の内視鏡滅菌用トレイ。
【請求項７】
上記体内挿入管部案内溝の側面に形成された線状又は点状の突起が、上記体内挿入管部案内溝の両側面に交互に位置をずらして配置されている請求項６記載の内視鏡滅菌用トレイ。
【請求項８】
上記体内挿入管部案内溝の側面に形成された線状の突起が、上記体内挿入管部案内溝の周方向に沿って形成されている請求項６又は７記載の内視鏡滅菌用トレイ。
【請求項９】
上記線状又は点状の突起の突端がアール面状に形成されている請求項１ないし８のいずれかの項に記載の内視鏡滅菌用トレイ。
【請求項１０】
上記体内挿入管部案内溝が途中で複数に分岐して形成されている請求項１ないし９のいずれかの項に記載の内視鏡滅菌用トレイ。
【請求項１１】
上記体内挿入管部案内溝にどの機種の内視鏡の体内挿入管部が嵌め込まれても、上記体内挿入管部の先端が上記体内挿入管部案内溝の直線部分に位置するように構成されている請求項１０記載の内視鏡滅菌用トレイ。
【発明の詳細な説明】
【技術分野】
【０００１】
この発明は、内視鏡を滅菌装置に格納する際に載置するための内視鏡滅菌用トレイに関する。
【背景技術】
【０００２】
内視鏡滅菌用トレイには一般に、体内挿入管部が緩く嵌め込まれる体内挿入管部案内溝と、体内挿入管部の基端に連結された操作部が緩く嵌め込まれる操作部嵌め込み溝等が、各々表面部分から窪んだ状態に形成されている（例えば、特許文献１）。
【特許文献１】特開２００２−１７８２４
【発明の開示】
【発明が解決しようとする課題】
【０００３】
しかし、従来の内視鏡滅菌用トレイにおいては、体内挿入管部案内溝が単純に体内挿入管部を緩く嵌め込むだけの構成になっていて、体内挿入管部が体内挿入管部案内溝の底面に面接触する状態になるので、その部分では体内挿入管部が滅菌ガスによって十分に滅菌されず、滅菌装置から取り出された内視鏡が必ずしも完全に滅菌されていない場合があった。
【０００４】
そこで本発明は、滅菌装置に格納される内視鏡を、滅菌状態が部分的に不十分にならないように載置することができる内視鏡滅菌用トレイを提供することを目的とする。
【課題を解決するための手段】
【０００５】
上記の目的を達成するため、本発明の内視鏡滅菌用トレイは、体内挿入管部の基端に操作部が連結された構成の内視鏡を滅菌装置に格納する際に載置するための内視鏡滅菌用トレイにおいて、体内挿入管部が緩く嵌め込まれる体内挿入管部案内溝と操作部が緩く嵌め込まれる操作部嵌め込み溝とが各々表面部分から窪んだ状態に形成されていて、体内挿入管部案内溝内に嵌め込まれた体内挿入管部を載せるための線状又は点状の突起が体内挿入管部案内溝の底面に上方に向けて突出形成されているものである。
【０００６】
なお、線状の突起が、体内挿入管部案内溝の長手方向に沿って体内挿入管部案内溝の底面の中央位置付近に形成されていてもよく、線状の突起が長手方向に間隔をあけて複数形成されて、体内挿入管部案内溝の底面に形成された複数の線状の突起と突起との間に、挿入管案内溝の底面の裏側に貫通する水抜き孔が形成されていてもよい。
【０００７】
また、操作部嵌め込み溝の底面にも、操作部嵌め込み溝に嵌め込まれた操作部を載せる線状又は点状の突起が上方に向けて突出形成されていてもよく、体内挿入管部案内溝の側面にも、体内挿入管部案内溝の内方に向いて線状又は点状の突起が突出形成されていてもよい。そして、体内挿入管部案内溝の側面に形成された線状又は点状の突起が、体内挿入管部案内溝の両側面に交互に位置をずらして配置されているとよく、体内挿入管部案内溝の側面に形成された線状の突起が、体内挿入管部案内溝の周方向に沿って形成されていてもよい。
【０００８】
なお、線状又は点状の突起の突端がアール面状に形成されていると、内視鏡に対する接触部位が極細の線状になって、より完璧な滅菌処理を行うことができる。
また、体内挿入管部案内溝が途中で複数に分岐して形成されていてもよく、体内挿入管部案内溝にどの機種の内視鏡の体内挿入管部が嵌め込まれても、体内挿入管部の先端が体内挿入管部案内溝の直線部分に位置するように構成されているとよい。
【発明の効果】
【０００９】
本発明によれば、体内挿入管部案内溝内に嵌め込まれた体内挿入管部を載せるための線状又は点状の突起が体内挿入管部案内溝の底面に上方に向けて突出形成されていることにより、トレイに対する体内挿入管部の接触面積を極めて小さくすることができるので、内視鏡を滅菌状態が部分的に不十分にならないように載置することができる。
【発明を実施するための最良の形態】
【００１０】
体内挿入管部の基端に操作部が連結された構成の内視鏡を滅菌装置に格納する際に載置するための内視鏡滅菌用トレイにおいて、体内挿入管部が緩く嵌め込まれる体内挿入管部案内溝と操作部が緩く嵌め込まれる操作部嵌め込み溝とが各々表面部分から窪んだ状態に形成されていて、体内挿入管部案内溝内に嵌め込まれた体内挿入管部を載せるための線状又は点状の突起が体内挿入管部案内溝の底面に上方に向けて突出形成されている。
【実施例】
【００１１】
図面を参照して本発明の実施例を説明する。
図５は、使用後に蒸気滅菌するために本発明の内視鏡滅菌用トレイに載せられる内視鏡の一例を示しており、体内に挿入される可撓性の体内挿入管部１の基端に操作部２が連結され、図示されていない光源装置（兼ビデオプロセッサ）に接続されるコネクタ部３が先端に取り付けられたライトガイドケーブル４が操作部２から延出している。ただし、本発明は、体内挿入管部１が可撓性を有していない硬性内視鏡等にも適用することができる。
【００１２】
図６は内視鏡滅菌用トレイの一実施例の平面図、図７はその斜視図であり、トレイは、病院の内視鏡室内等に設置される蒸気滅菌装置内に格納できる大きさの長方形状に形成されている。なお、図６においては理解の助けのために平面部１０を砂目状に図示してある。
【００１３】
内視鏡滅菌用トレイの外辺に近い部分には、体内挿入管部１を緩く嵌め込むための体内挿入管部案内溝１１が形成され、ライトガイドケーブル４を緩く嵌め込むためのライトガイドケーブル案内溝１４が体内挿入管部案内溝１１の内側に並ぶ形で形成されている。
【００１４】
操作部２を緩く嵌め込むための操作部嵌め込み溝１２とコネクタ部３を緩く嵌め込むためのためのコネクタ部嵌め込み溝１３は、各々体内挿入管部案内溝１１と重なり合わないように体内挿入管部案内溝１１の内側のスペースに形成され、ライトガイドケーブル案内溝１４とは共に一部で重なり合っている。
【００１５】
図６におけるＩ−Ｉ断面を図示する図１に示されるように、内視鏡滅菌用トレイには中程の深さの位置に平面部１０（表面部分）が形成されていて、体内挿入管部案内溝１１は底部近くの深い位置に形成されている。また、図１に図示されていない操作部嵌め込み溝１２、コネクタ部嵌め込み溝１３及びライトガイドケーブル案内溝１４等も、平面部１０から適宜潜った深さに形成されている。
【００１６】
図６に戻って、Ｉ−Ｉ断面の位置がそうであるように、体内挿入管部案内溝１１は途中で並列に二列に分岐して形成されており、内視鏡の機種の相違等に応じて体内挿入管部案内溝１１を選択してその一方に体内挿入管部１を通すことができる。
【００１７】
ただし、どの機種の内視鏡の場合であっても体内挿入管部１の先端が体内挿入管部案内溝１１の直線部分に位置して、体内挿入管部１の先端付近に曲がり癖がつかないように配慮されている。
【００１８】
図６と図７に示される１５は水抜き孔であり、体内挿入管部案内溝１１以外の各部にも多数形成されている。１６は、蒸気滅菌装置内に設けられている受け等に係合させるための鍔であり、外縁部の全周にわたって形成されている。
【００１９】
図８は、トレイに内視鏡が載置された状態の平面図、図９はその状態に置かれた内視鏡だけを抜き出して示しており、先ず操作部２が操作部嵌め込み溝１２に嵌め込まれて、体内挿入管部１が体内挿入管部案内溝１１に嵌め込まれ、次いでライトガイドケーブル４がライトガイドケーブル案内溝１４に嵌め込まれて、最後にコネクタ部３がコネクタ部嵌め込み溝１３に嵌め込まれる。
【００２０】
このとき、図８に示されるように、内視鏡の体内挿入管部１と操作部２とコネクタ部３とライトガイドケーブル４の中の二つの部分が上下方向で重なり合う部分Ａができるが、各溝１１，１２，１３，１４に深さの差が形成されているので、互いにぶつかり合うことはない。
【００２１】
前述の図６、図７及び図１に示されるように、体内挿入管部案内溝１１の底面には、体内挿入管部１を載せるための線状の底面突起２１が上方に向けて突出形成されている。その底面突起２１は体内挿入管部案内溝１１の軸線と平行方向に体内挿入管部案内溝１１の中央位置（溝の幅の中央位置）付近に、長手方向に間隔をあけて複数形成されており、その底面突起２１と底面突起２１との間の位置に、体内挿入管部案内溝１１の裏面側に貫通する水抜き孔１５が形成されている。
【００２２】
また、体内挿入管部案内溝１１の左右両側の側面の内面部分には、体内挿入管部案内溝１１の内方に向かって突出する線状の側面突起２２が、体内挿入管部案内溝１１の周方向に沿う方向に形成されている。側面突起２２は、内視鏡の体内挿入管部１を体内挿入管部案内溝１１にセットし易いように、体内挿入管部案内溝１１の両側面に交互に位置をずらして配置されている。
【００２３】
図２と図３は、そのような体内挿入管部案内溝１１に形成された底面突起２１と側面突起２２を拡大して示したものであり、図２は斜視図、図３は前出のＩ−Ｉ断面に対応する拡大断面図である。また、図４は図３におけるIV−IV断面図である。
【００２４】
各図に二点鎖線で示されるように、体内挿入管部案内溝１１に体内挿入管部１が嵌め込まれると、体内挿入管部１は底面突起２１の上に載せられた状態になって、体内挿入管部案内溝１１の底面に接触しない。また、側方においても側面突起２２の突端に当接して体内挿入管部案内溝１１の側壁面に接触しない。したがって、その状態で滅菌処理が行われると、体内挿入管部１に対するトレイの接触面積が非常に小さいので、体内挿入管部１の外面全体が十分に滅菌される。
【００２５】
また、図１〜図４の各図に示されるように、この実施例の各底面突起２１と側面突起２２の先端部分は、各々小さな半径のアール面状に滑らかに面取り形成されている。その結果、体内挿入管部１の表面が傷付けられないだけでなく、体内挿入管部１に対する接触部位が極めて細い線状になるので、滅菌装置内に格納されることにより、体内挿入管部１の表面が漏れなくほぼ完全に滅菌される。
【００２６】
また、図６及び図７に示されるように、本実施例の内視鏡滅菌用トレイにおいては、操作部嵌め込み溝１２とコネクタ部嵌め込み溝１３の底面にも、そこに嵌め込まれる操作部２とコネクタ部３を載せる線状の底面突起３１，４１が突出形成されている。それらはいわば魚の骨状の形状で連続的に形成されている。
【００２７】
また、ライトガイドケーブル案内溝１４の底面と側面にも体内挿入管部案内溝１１と同様の線状の底面突起５１と側面突起５２とが突出形成されている。このような構成により、操作部２、コネクタ部３及びライトガイドケーブル４の各部もトレイとの接触面積が非常に小さくて十分な滅菌処理を受けることができる。
【００２８】
なお、本発明は上記実施例に限定されるものではなく、線状の突起２１，２２に代えて、例えば、図１０に示されるように点状の突起２１′，２２′をトレイから突出形成してもよく、その場合に、点状の突起２１′，２２′の先端部分を球状に丸まった形状に形成すれば内視鏡との接触面積を微小なものにすることができる。
【００２９】
また、本発明のトレイは高温高圧の蒸気以外の例えばエチレンオキサイドガスその他の手段で滅菌されるものであってもよい。
【図面の簡単な説明】
【００３０】
【図１】本発明の実施例の内視鏡滅菌用トレイの体内挿入管部案内溝部分の縦断面図（図６におけるＩ−Ｉ断面図）である。
【図２】本発明の実施例の内視鏡滅菌用トレイの体内挿入管部案内溝内に形成された突起部分の拡大斜視図である。
【図３】本発明の実施例の内視鏡滅菌用トレイの体内挿入管部案内溝部分の拡大縦断面図である。
【図４】本発明の実施例の内視鏡滅菌用トレイの体内挿入管部案内溝部分の拡大平面断面図（図３におけるIV−IV断面図）図である。
【図５】本発明の実施例の内視鏡滅菌用トレイに載せられる内視鏡の一例の外観図である。
【図６】本発明の実施例の内視鏡滅菌用トレイの平面図である。
【図７】本発明の実施例の内視鏡滅菌用トレイの斜視図である。
【図８】本発明の実施例の内視鏡滅菌用トレイに内視鏡が載せられた状態の平面図である。
【図９】本発明の実施例の内視鏡滅菌用トレイに載せられた状態の内視鏡だけを抜き出して示す平面図である。
【図１０】本発明の第２の実施例の内視鏡滅菌用トレイの体内挿入管部案内溝内に形成された突起部分の拡大斜視図である。
【符号の説明】
【００３１】
１  体内挿入管部
２  操作部
１０  平面部（表面部分）
１１  体内挿入管部案内溝
１２  操作部嵌め込み溝
１５  水抜き孔
２１，２１′，３１，４１，５１  底面突起
２２，２２′，５２  側面突起
【図１】
0004648773.tif 000002
【図２】
0004648773.tif 000003
【図３】
0004648773.tif 000004
【図４】
0004648773.tif 000005
【図５】
0004648773.tif 000006
【図６】
0004648773.tif 000007
【図７】
0004648773.tif 000008
【図８】
0004648773.tif 000009
【図９】
0004648773.tif 000010
【図１０】
0004648773.tif 000011